(57)【要約】      【課題】パネルを窓枠のパネル保持溝に、パネル装着溝付きグレージング部材を介して保持する窓類において、窓枠のパネル保持溝内に、熱発泡性無機材料と熱硬化性粘土質材料を混練して形成した無機膨張硬化材を、長手方向に連続する状態で設置することからなる耐火構造を形成する際に、無機膨張硬化材に折損するような衝撃、曲げ、捩りの外力が作用しにくくして、設置作業の能率アップをはかる。      【解決手段】ペースト状無機膨張硬化材２０を、熱可塑性合成樹脂製チューブ２１内に圧入により充填して自然乾燥により固化させた状態で、窓枠１１のパネル保持溝１２の底壁１３上に設置する。チューブ２１は、緩衝手段、曲げ・捩り変形の抵抗手段として働くため、無機膨張硬化材２０は折損しにくい。また折損が生じても、折損片がチューブ２１内を移動する余地がなく、パネル保持溝１２内に無機膨張硬化材２０の欠落部が形成されない。      【選択図】図１
0003173950.tif 000002
【実用新案登録請求の範囲】
【請求項１】
パネルを窓枠のパネル保持溝に、パネル装着溝付きのグレージング部材を介して保持する窓類において、窓枠のパネル保持溝内の空間に、発泡性無機材料と熱硬化性粘土質材料を混練した無機膨張硬化材を、熱可塑性チューブ内に充填した状態で設置してなる窓類の耐火構造。
【請求項２】
無機膨張硬化材を充填するチューブが、グレージング部材の背部に付設するチューブ部である、請求項１記載の窓類の耐火構造。
【考案の詳細な説明】
【技術分野】
【０００１】
この考案はサッシ窓等の窓類の耐火（防火）構造、特にガラス板や合成樹脂板等のパネルを、窓枠のパネル保持溝に、パネルの周縁部を装着するパネル装着溝付きのグレージング部材（グレージングチャンネル）を介して保持する窓類の耐火構造に関する。
【背景技術】
【０００２】
周知のように、サッシ窓等におけるグレージング部材は、必ずしも耐熱性が高いとは言えない合成樹脂類で形成されている（例えば特許文献１、２参照）ため、その形状等によっては、法定の耐火基準（２０分以上の遮炎機能による延焼防止機能）の不充足の恐れのあることが指摘されている。
【０００３】
上記のような状況に鑑み、本出願人の一人は、先に特願２０１１−２３６１９３号において、基本的な構造として、窓枠のパネル保持溝内の空間に、珪酸ナトリウム等の熱発泡性無機材料（無機発泡材料）と粉末カオリン等の熱硬化性粘土質材料を混練した無機膨張硬化材（熱膨張硬化性無機材料）を、窓枠のパネル保持溝の長手方向に連続する状態で設置する耐火構造を提案するとともに、実施態様として、窓枠のパネル保持溝内の底壁上に、熱発泡性無機材料としての含水珪酸ナトリウム（珪酸ナトリウムの濃縮水溶液である水ガラス）と熱硬化性粘土質材料としての粉末カオリンを混練したペースト状の無機膨張硬化材を成形して乾燥固化した、窓枠に対応する長さの板状の無機膨張硬化部材の状態で設置する耐火構造を開示した。
【０００４】
この既提案の耐火構造によれば、火災時に、クレージング部材の焼失の進行と同時に、無機膨張硬化材が熱膨張して、窓枠のパネル保持溝内の空間全体及びクレージング部材の焼失部に広がって行き、最終的には焼失するクレージング部材に替わって、窓枠のパネル保持溝の側壁部とパネルの周縁部の間を通して窓枠上に溢れるまで拡散した状態で硬化して、パネルを保持し、これにより遮炎機能を奏することを確認したが、実施形態として開示した水ガラスと粉末カオリンを混練したペースト状の無機膨張硬化材を成形して乾燥固化した長い板状の無機膨張硬化部材を、窓枠のパネル保持溝内の底壁上に設置する形態においては、無機膨張硬化部材が特に衝撃や曲げ、捩りの外力によって折損し易く、慎重に取り扱う必要があるため、窓枠のパネル保持溝への設置作業の能率をアップしにくいほか、窓類の建物開口部へのセット後に開閉等の衝撃によって折損した場合には、折損片が窓類の開閉時にパネル装着溝内の空間部を長手方向に移動して、無機膨張硬化材の欠落部（空白部）ができ、この結果火災時に隙間からの火炎の噴出の恐れがあることも確認された。
【先行技術文献】
【特許文献】
【０００５】
【特許文献１】特開２００５−１４６８３９号公報
【特許文献２】特開２００４−１９０２７７号公報
【考案の概要】
【考案が解決しようとする課題】
【０００６】
この考案は、パネルを窓枠のパネル保持溝に、パネル装着溝付きのグレージング部材を介して保持する窓類において、窓枠のパネル保持溝内の空間に長手方向に連続する状態で無機膨張硬化材を設置することからなる耐火構造として、無機膨張硬化材が折損するような衝撃、曲げ、捩りの外力が作用しにくく、窓枠のパネル溝への設置作業の能率をアップすることができるとともに、建物の開口部にセット後の窓類において開閉等の衝撃により無機膨張硬化材が折損したとしても、折損片がパネル保持溝内を長手方向に移動して空白部ができる恐れのないものを提供することを課題としている。
【課題を解決するための手段】
【０００７】
この考案によれば、上記の課題は、実用新案登録請求の範囲の請求項１に記載のように、パネルを窓枠のパネル保持溝に、パネル装着溝を有するグレージング部材を介して保持する窓類において、窓枠のパネル保持溝内の空間に、熱発砲性無機材料と熱硬化性粘土質材料を混練した無機膨張硬化材を、熱可塑性チューブ内に充填（装填）した状態で設置してなる窓類の耐火構造によって解決する。
【０００８】
この考案の耐火構造においては、請求項２に記載のごとく、無機膨張硬化材を充填するチューブは、グレージング部材の背部（反パネル装着溝部）に付設するチューブ部で構成することができる。
【考案の効果】
【０００９】
実用新案登録請求の範囲の請求項１に記載のこの考案の窓類の耐火構造によれば、無機膨張硬化材を充填するチューブが、緩衝手段、曲げ・捩り変形の抵抗手段として機能するため、窓枠のパネル保持溝内への設置時に、無機膨張硬化材が折損しにくい。従って折損防止の点から取り扱いに特別の注意を払う必要がなく、窓枠への設置作業の能率をアップすることができる。また仮に無機膨張硬化材の窓枠のパネル保持溝内への設置時や建物の開口部にセットした後の窓類の使用（開閉）時に、衝撃によって無機膨張硬化材が折損したとしても、チューブ内に充満した状態にあるため、折損片のパネル保持溝の長手方向への移動により、チューブ内、従って窓枠のパネル保持溝内に無機膨張硬化材の欠落部ができる恐れもない。
【００１０】
また請求項２に記載の無機膨張硬化材を充填するチューブを、グレージング部材の背部に付設のチューブ部とする構成によれば、グレージング部材を窓枠のパネル保持溝に装着する作業によって、無機膨張硬化材を窓枠のパネル保持溝内の空間に設置することができるため、設置作業の能率が一段とアップする。
【図面の簡単な説明】
【００１１】
【図１】この考案に係る窓類の耐火構造の第１の実施形態の部分断面略図である。
【図２】第２の実施形態の部分断面略図である。
【図３】第１と第２の実施形態の火災時の部分断面略図である。
【考案を実施するための形態】
【００１２】
以下図１〜図３に基づいて、この考案に窓類の耐火構造の第１と第２の実施形態ついて説明する。
【００１３】
まず図１は、無機膨張硬化材をチューブに充填した状態で窓枠のパネル保持溝内の空間に設置する請求項１の基本構成の実施形態（第１の実施形態）を略示したもので、熱発泡性無機材料としての含水珪酸ナトリウムの水ガラスと熱硬化性粘土質材料としての粉末カオリンを混練して形成したペースト状の無機膨張硬化材２０を、窓枠１１に対応する長さの熱可塑性合成樹脂製のチューブ２１に圧入により充填して自然乾燥により固化させた無機膨張硬化材２０入りの熱可塑性のチューブ２１を、窓枠１１のパネル保持溝１２の底壁１３上に両面接着テープ（図示せず）を介した接着状態で設置した後、パネル装着溝１７にパネル１５の周縁部を装着したグレージング部材１６を、窓枠１１のパネル保持溝１２に、その開口側から挿着することにより、無機膨張硬化材２０入りのチューブ２１を、パネル保持溝１２の底壁１３と両側壁１４及びグレージング部材１６の底部で包囲された空間内に設置した状態にしている。
【００１４】
この実施形態は、火災の際には、グレージング部材１６及びチューブ２１の焼失の進行と同時に、無機膨張硬化材２０が膨張して、窓枠１１のパネル保持溝１２内の空間全体及びグレージング部材１６の焼失部に広がり、最終的には、図３に示すごとく、グレージング部材１６が占めていたパネル１５の周縁部と窓枠１１の側壁１４の間を通して窓枠１１上まで広がった状態で硬化して、パネル１５を保持し、これによる遮炎によって延焼を防止する。
【００１５】
次に図２は、無機膨張硬化材を充填するチューブをグレージング部材に付設のチューブ部で構成する請求項２の敷延構成の実施形態（第２の実施形態）を略示したもので、背部に付設のチューブ部２２内に、第１の実施形態のものと同じペースト状の無機膨張硬化材２０を圧入により充填して自然乾燥させたグレージング部材１６を、パネル装着溝１７にパネル１５の周縁部を装着した状態で、窓枠１１のパネル保持溝１２に挿着した構造からなっている。
【００１６】
この実施形態においては、火災時には、チューブ部２２を含むグレージング部材１６の焼失の進行と同時に、無機膨張硬化材２０が膨張して、窓枠１１のパネル保持溝１２内の空間全体及びグレージング部材１６の焼失部に広がり、最終的には、図３に示すように、第１の実施形態と同じく、焼失したグレージング部材１６が占めていたパネル１５と窓枠１１の側壁１４の間を通して窓枠１１上まで広がって硬化した状態になる。
【００１７】
この考案に係る窓類の耐火構造は、このほか、無機膨張硬化材入りのチューブを、チューブ押し出し成形材と無機膨張硬化材を同時に押し出す形態で形成したり、無機膨張硬化材の窓枠のパネル保持溝内への設置を、チューブをパネル保持溝に嵌着する形態で行うなど、種々の形態で実施することができるもので、上記の形態に限定されるものでない。
【符号の説明】
【００１８】
１１  窓枠
１２  パネル保持溝
１３  底壁
１４  側壁
１５  パネル
１６  グレージング部材
１７  パネル装着溝
２０  無機膨張硬化材
２１  チューブ
２２  チューブ部
【図１】
0003173950.tif 000003
【図２】
0003173950.tif 000004
【図３】
0003173950.tif 000005